(57)【特許請求の範囲】
【請求項１】
撮影者を撮影する自分撮りが可能な撮像装置であって、
自分撮りが可能な状態である自分撮り状態になったとき、リモート制御装置から受信する命令に基づいて動作するリモート制御状態とする制御手段と、
前記リモート制御装置とペアリングを行うペアリング手段とを備え、
前記制御手段は、リモート制御状態のときに命令を受信する対象の前記リモート制御装置を、前記ペアリング手段がペアリングを行った前記リモート制御装置とすることを特徴とする撮像装置。
【請求項２】
被写体を表示でき、姿勢が可変な表示手段と、
前記表示手段の姿勢に基づいて、自分撮り状態であるか否かを判定する判定手段と、をさらに備え、
前記制御手段は、前記判定手段が自分撮り状態であると判定したとき、リモート制御装置から受信する命令に基づいて動作するリモート制御状態とすることを特徴とする請求項１に記載の撮像装置。
【請求項３】
前記判定手段は、撮影方向と前記表示手段の表示方向とが同じであって、かつ、前記表示手段が被写体を表示しているとき、自分撮り状態であると判定することを特徴とする請求項２に記載の撮像装置。
【請求項４】
前記表示手段が取り付けられた本体部をさらに備え、
前記表示手段は、前記本体部に対して角度を変えられるバリアングルモニタであることを特徴とする請求項２又は３に記載の撮像装置。
【請求項５】
被写体を表示でき、撮影方向と同じ方向に表示方向が固定された表示手段と、
前記表示手段が被写体を表示しているとき、自分撮り状態であると判定する判定手段と、をさらに備え、
前記制御手段は、前記判定手段が自分撮り状態であると判定したとき、リモート制御装置から受信する命令に基づいて動作するリモート制御状態とすることを特徴とする請求項１に記載の撮像装置。
【請求項６】
前記制御手段は、自分撮り状態になったときにすでにリモート制御状態であった場合、リモート制御状態に維持することを特徴とする請求項１乃至５のいずれか１項に記載の撮像装置。
【請求項７】
前記制御手段は、自分撮り状態になったときにリモート制御状態でなかった場合、リモート制御状態に切り替えることを特徴とする請求項１乃至６のいずれか１項に記載の撮像装置。
【請求項８】
リモート制御状態であり、かつ、前記リモート制御装置から撮影の命令を受信したとき、撮影を行う撮影手段をさらに備えることを特徴とする請求項１乃至７のいずれか１項に記載の撮像装置。
【請求項９】
前記制御手段は、自分撮り状態が解除されたとき、動作の状態を自分撮り状態と判定されたときの状態にすることを特徴とする請求項１乃至８のいずれか１項に記載の撮像装置。
【請求項１０】
前記制御手段は、所定の外部装置と通信の接続がされているときに自分撮り状態になったときは、前記所定の外部装置と通信の接続を維持し、前記所定の外部装置と通信の接続がされていないときに自分撮り状態になったときは、リモート制御状態とすることを特徴とする請求項１乃至９のいずれか１項に記載の撮像装置。
【請求項１１】
前記リモート制御装置、及び、前記所定の外部装置と通信できる複数の通信手段をさらに備え、
前記制御手段は、前記リモート制御装置、及び、前記所定の外部装置のいずれとも通信の接続をしていない前記通信手段である未接続通信手段があり、かつ、自分撮り状態になったとき、前記未接続通信手段で前記リモート制御装置と通信の接続をしてリモート制御状態にすることを特徴とする請求項１０に記載の撮像装置。
【請求項１２】
前記所定の外部装置と通信の接続がされていて、かつ、前記所定の外部装置から撮影の命令を受信したとき、撮影を行う第２撮影手段をさらに備えることを特徴とする請求項１０又は１１に記載の撮像装置。
【請求項１３】
撮影者を撮影する自分撮りが可能な撮像装置の制御方法であって、
自分撮りが可能な状態である自分撮り状態になったとき、リモート制御装置から受信する命令に基づいて動作するリモート制御状態とする制御ステップと、
前記リモート制御装置とペアリングを行うペアリングステップとを備え、
前記制御ステップは、リモート制御状態のときに命令を受信する対象の前記リモート制御装置を、前記ペアリングステップでペアリングを行った前記リモート制御装置とすることを特徴とする撮像装置の制御方法。
【請求項１４】
コンピュータを、請求項１乃至１２のいずれか１項に記載の撮像装置として機能させるプログラム。
【発明の詳細な説明】
【技術分野】
【０００１】
本発明は、撮像装置、撮像装置の制御方法、及び、プログラムに関する。
【背景技術】
【０００２】
通常、撮影者はカメラで撮影を行う際、カメラのファインダやモニタによって所望の被写体を目視して撮影を行うが、撮影者が自分自身を被写体として撮影する、いわゆる自分撮りも広く行われている。
自分撮りの場合、撮影者はカメラを自分自身に向けるため、撮影者は不慣れな体勢でレリーズスイッチを操作しなければならず、通常の撮影と比較して手振れを引き起こす可能性が高い。この手振れの対策としては、リモコンを用いることが考えられる。近年では、特許文献１にあるように、カメラが無線通信機能を搭載し、スマートフォンを用いてリモート撮影を行うことも知られている。
【先行技術文献】
【特許文献】
【０００３】
【特許文献１】特開２０１５−１４２３６０号公報
【発明の概要】
【発明が解決しようとする課題】
【０００４】
しかしながら、特許文献１では、自分撮りについて何ら考慮されていない。そのため、自分撮りモードへの遷移と、無線通信の起動とをそれぞれ個別に行わなければならず、煩わしい。
【０００５】
本発明は以上のような状況に鑑みてなされたものであり、自分撮りを行う際の撮影者の手間を低減することを目的とする。
【課題を解決するための手段】
【０００６】
本発明の撮像装置は、撮影者を撮影する自分撮りが可能な撮像装置であって、自分撮りが可能な状態である自分撮り状態になったとき、リモート制御装置から受信する命令に基づいて動作するリモート制御状態とする制御手段と、前記リモート制御装置とペアリングを行うペアリング手段とを備え、前記制御手段は、リモート制御状態のときに命令を受信する対象の前記リモート制御装置を、前記ペアリング手段がペアリングを行った前記リモート制御装置とすることを特徴とする。
【発明の効果】
【０００７】
本発明によれば、自分撮りを行う際の撮影者の手間を低減できる。
【図面の簡単な説明】
【０００８】
【図１】カメラの構成図である。
【図２】リモート制御装置の構成図である。
【図３】第１実施形態における自分撮り撮影処理のフローチャートである。
【図４】情報処理装置のブロック図である。
【図５】接続設定画面の図である。
【図６】第２実施形態における自分撮り撮影処理のフローチャートである。
【図７】第２実施形態のシステム構成図である。
【発明を実施するための形態】
【０００９】
＜第１実施形態＞
第１実施形態の撮像システムは、デジタルカメラ１００と、リモート制御装置２００とを備える。
まず、図１（ａ）を参照して、通信機能を有する撮像装置の一例であるデジタルカメラ１００について説明する。図１（ａ）は、デジタルカメラ１００のブロック図である。なお、ここではデジタルカメラ１００を例に説明するが、通信機能と撮像機能を有する装置であれば、デジタルカメラに限られない。例えば携帯電話や、いわゆるタブレットデバイス、パーソナルコンピュータ等の情報処理装置を用いてもよい。
【００１０】
制御部１０１は、入力された信号や、後述のプログラムに従ってデジタルカメラ１００の各部を制御する。なお、制御部１０１が装置全体を制御する代わりに、複数のハードウェアが処理を分担することで、デジタルカメラ１００を制御してもよい。
撮像部１０２は、例えば、光学レンズユニット、絞り・ズーム・フォーカス等を制御する光学系、及び、光学レンズユニットを経て導入された光（映像）を電気的な映像信号に変換するための撮像素子等で構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部１０２は、制御部１０１に制御されることにより、撮像部１０２に含まれるレンズで結像された被写体光を、撮像素子により電気信号に変換し、ノイズ低減処理等を行い、デジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１０８に記録される。
【００１１】
不揮発性メモリ１０３は、電気的に消去・記録可能な不揮発性のメモリであり、制御部１０１で実行される後述のプログラム等が格納される。
作業用メモリ１０４は、撮像部１０２で撮像された画像データを一時的に保持するバッファメモリ、表示部１０６の画像表示用メモリ、及び、制御部１０１の作業領域等として使用される。
【００１２】
操作部１０５は、デジタルカメラ１００に対するユーザからの指示を受け付ける。操作部１０５は、例えば、ユーザがデジタルカメラ１００の電源のＯＮ／ＯＦＦを指示するための電源ボタン、撮影を指示するためのレリーズスイッチ、及び、画像データの再生を指示するための再生ボタンを含む。さらに、操作部１０５は、後述の第１無線通信部１１０や第２無線通信部１１１を介して外部装置との通信を開始するための専用の接続ボタン等の操作部材を含む。また、後述する表示部１０６に形成されるタッチパネルも操作部１０５に含まれる。なお、レリーズスイッチは、スイッチＳＷ１およびスイッチＳＷ２を有する。レリーズスイッチが、いわゆる半押し状態となることにより、スイッチＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、スイッチＳＷ２がＯＮとなる。これにより、撮影を行うための指示を受け付ける。
【００１３】
表示部１０６は、表示手段の一例であるモニタであり、撮影の際のビューファインダ画像として被写体のスルー画像の表示や、撮影した画像データの表示、対話的な操作のための文字表示等を行う。
表示部１０６は、デジタルカメラ１００の本体部に対して回転可能であり、デジタルカメラ１００の本体部に対する姿勢が可変である。表示部１０６は、不図示のヒンジ機構で保持され、任意の角度に向けることができるバリアングルモニタとする。よって、表示部１０６を、カメラ本体の背面のみならず、撮影方向に向けることが可能である。撮影方向は、デジタルカメラ１００から撮影対象を向く方向であり、撮像部１０２のレンズが向く方向である。また、ヒンジ機構には、表示部１０６の状態を判定する判定部１０７が設けられており、表示部１０６の回転角度を検出して、表示部１０６の表示方向が撮影方向に向けられたことを検出することが可能である。表示部１０６の表示方向は、表示部１０６の表示面が向く方向である。なお、デジタルカメラ１００の本体部は、デジタルカメラ１００の筐体であり、デジタルカメラ１００の各部が取り付けられている。
【００１４】
記録媒体１０８は、撮像部１０２から出力された画像データを記録することができる。記録媒体１０８は、デジタルカメラ１００に着脱可能なよう構成してもよいし、デジタルカメラ１００に内蔵されていてもよい。デジタルカメラ１００は少なくとも記録媒体１０８にアクセスできる手段を有していればよい。
【００１５】
第１無線通信部１１０、及び、第２無線通信部１１１は、外部装置と無線で接続するためのインターフェースである。デジタルカメラ１００は、第１無線通信部１１０、又は、第２無線通信部１１１を介して、外部装置とデータのやりとりができる。例えば、デジタルカメラ１００は、外部装置からのデジタルカメラ１００に対する制御コマンドを、第１無線通信部１１０を介して受信できる。後述するリモート制御装置２００とは、第１無線通信部１１０を介してデジタルカメラ１００に対する撮影制御命令のやり取りを行う。また、デジタルカメラ１００は、撮像部１０２で生成した画像データを、第２無線通信部１１１を介して外部装置に送信できる。
なお、第１無線通信部１１０は、外部装置と、ＩＥＥＥ８０２．１５の規格に従った、いわゆるブルートゥース（登録商標）で通信するためのインターフェースを含む。制御部１０１は、第１無線通信部１１０を制御することで外部装置との無線通信を実現する。ブルートゥースの通信は、無線ＬＡＮ通信に比べて通信速度が遅い代わりに消費電力が少ない。なお、ブルートゥース通信は、低消費電力であるＢｌｕｅｔｏｏｔｈ（登録商標）  Ｌｏｗ  Ｅｎｅｒｇｙ（ＢＬＥ）のバージョン４．０を採用してもよい。このＢＬＥの通信は、無線ＬＡＮ通信やブルートゥースと比べて、更に通信速度が遅い。その一方で、ＢＬＥの通信は、無線ＬＡＮ通信やブルートゥースと比べてさらに消費電力が少ない。
また、第２無線通信部１１１は、外部装置とＩＥＥＥ８０２．１１の規格に従った、いわゆる無線ＬＡＮで通信するためのインターフェースを含む。制御部１０１は、第２無線通信部１１１を制御することで外部装置との無線通信を実現する。
本実施形態では、第１無線通信部１１０は、第２無線通信部１１１と比較して省電力で無線通信を行うことができる無線通信部として構成される。
【００１６】
第２無線通信部１１１は、インフラストラクチャモードにおけるアクセスポイントとして動作するＡＰモードと、インフラストラクチャモードにおけるクライアントとして動作するＣＬモードとを有している。第２無線通信部１１０をＣＬモードで動作させることにより、デジタルカメラ１００は、インフラストラクチャモードにおけるＣＬ機器（クライアント機器）として動作することが可能である。デジタルカメラ１００がＣＬ機器として動作する場合、周辺のＡＰ機器に接続することで、ＡＰ機器が形成するネットワークに参加することが可能である。また、第２無線通信部１１１をＡＰモードで動作させることにより、デジタルカメラ１００は、ＡＰ（アクセスポイント）の一種ではあるが、より機能が限定された簡易的なＡＰ（以下、簡易ＡＰ）として動作することも可能である。デジタルカメラ１００が簡易ＡＰとして動作すると、デジタルカメラ１００は自身でネットワークを形成する。デジタルカメラ１００の周辺の装置は、デジタルカメラ１００をＡＰ機器と認識し、デジタルカメラ１００が形成したネットワークに参加することが可能となる。このようにデジタルカメラ１００を動作させるためのプログラムは不揮発性メモリ１０３に保持されているものとする。
【００１７】
デジタルカメラ１００はＡＰの一種であるものの、ＣＬ機器から受信したデータをインターネットプロバイダ等に転送するゲートウェイ機能は有していない簡易ＡＰである。したがって、デジタルカメラ１００が形成したネットワークに参加している他の装置からデータを受信しても、それをインターネット等のネットワークに転送することはできない。
第１無線通信部１１０により実現される通信の通信速度は、第２無線通信部１１１により実現される通信速度よりも遅い。また、第１無線通信部１１０により実現される通信は、第２無線通信部１１１による通信と比較して、通信可能な範囲が同等以下である。また、第１無線通信部１１０による消費電力は、第２無線通信部１１１による通信時の消費電力よりも十分少ない。したがって、デジタルカメラ１００とリモート制御装置２００とは、第１無線通信部１１０を介して通信接続を維持するように構成できる。
【００１８】
次に、図１（ｂ）、（ｃ）を参照して、デジタルカメラ１００の外観について説明する。図１（ｂ）は、表示部１０６が撮影方向を向いたときのデジタルカメラ１００の正面図である。図１（ｃ）は、表示部１０６がデジタルカメラ１００の本端部の背面方向をむいたときのデジタルカメラ１００の背面図である。
図１（ｂ）、（ｃ）に示すレリーズスイッチ１０５ａ、通信モード設定ボタン１０５ｂ、ダイヤルキー１０５ｃ、及び、タッチパネル１０５ｄは、操作部１０５に含まれる操作部材である。通信モード設定ボタン１０５ｂを操作することにより、リモート制御装置２００と通信するリモート制御通信モードと通信しないモードとを切換えることが可能である。リモート制御通信モードに設定された場合、デジタルカメラ１００は、リモート制御装置と第１無線通信部１１０にてブルートゥースで接続を行い、リモート制御装置２００からの制御コマンドを受信することが可能となる。
【００１９】
表示部１０６は、先に説明したようにヒンジ機構によりデジタルカメラ１００の本体部に対して任意の角度に向けることが可能であり、図１（ｂ）に示すように、回転させて撮影方向に向けることができる。撮影者となるユーザは、自分自身を撮影するとき、表示部１０６を撮影方向（撮影者自身の方向）に向けることで、表示部１０６に表示されるスルー画像を確認して、自分自身の表示位置の確認、及び、調整が可能である。
【００２０】
次に、図２（ａ）を参照して、リモート制御装置２００について説明する。図２（ａ）は、リモート制御装置２００のブロック図である。
制御部２０１は、入力された信号や、後述のプログラムに従ってリモート制御装置２００の各部を制御する。なお、制御部２０１が装置全体を制御する代わりに、複数のハードウェアが処理を分担することで、リモート制御装置２００を制御してもよい。
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、このＯＳと協働してデジタルカメラ１００と通信を行い、リモート制御するためのプログラムが格納されている。作業用メモリ２０４は、制御部２０１の作業領域等として使用される。
【００２１】
操作部２０５は、リモート制御装置２００に対する指示をユーザから受け付けるために用いられる。操作部２０５は例えば、リモート制御装置２００の電源のＯＮ／ＯＦＦを指示するための電源スイッチ２０５ｂ、及び、デジタルカメラ１００に撮影を指示するためのレリーズ命令スイッチ２０５ａを含む。さらに、操作部２０５は、デジタルカメラ１００で撮影した画像の表示部１０６での再生を指示するための再生スイッチ２０５ｃを含む。再生スイッチ２０５ｃには、再生の開始を指示する再生開始スイッチ、再生画像の再生送りを指示する再生送りスイッチ、及び、再生戻しを指示する再生戻しスイッチ等を含む。操作部２０５は、これら以外の操作部材を含んでもよい。
表示部２０６は、ＬＥＤ表示等の点灯部材で構成され、点灯部材に対して点灯、消灯、点滅等の制御をすることによりデジタルカメラ１００との通信状態や、操作部２０５によるリモート制御の結果等を表示することが可能である。なお、表示部２０６は、ＬＥＤである必要ななく、少なくとも、液晶表示等の表示機能を有していればよい。
【００２２】
無線通信部２１０は、デジタルカメラ１００と接続するためのインターフェースである。リモート制御装置２００は、無線通信部２１０を介して、デジタルカメラ１００に対してレリーズ指示等の制御コマンドを送信できる。また、デジタルカメラ１００からは、制御コマンドの実行結果等を受信することができる。なお、無線通信部２１０は、外部装置とＩＥＥＥ８０２．１５の規格に従った、いわゆるブルートゥースで通信するためのインターフェースを含む。制御部２０１は、無線通信部２１０を制御することでデジタルカメラ１００との無線通信を実現する。ブルートゥースの通信は、無線ＬＡＮ通信に比べて通信速度が遅い代わりに消費電力が少ない。なお、ブルートゥース通信は、低消費電力であるＢｌｕｅｔｏｏｔｈ（登録商標）  Ｌｏｗ  Ｅｎｅｒｇｙ（ＢＬＥ）のバージョン４．０を採用してもよい。このＢＬＥの通信は、無線ＬＡＮ通信やブルートゥースと比べて、更に通信速度が遅い。その一方で、ＢＬＥの通信は、無線ＬＡＮ通信やブルートゥースと比べてさらに消費電力が少ない。
【００２３】
次に、図２（ｂ）を参照して、リモート制御装置２００の外観について説明する。図２（ｂ）は、リモート制御装置２００の外観図である。図２（ｂ）に示すレリーズ命令スイッチ２０５ａ、電源スイッチ２０５ｂ、及び、再生スイッチ２０５ｃ等は、上記の操作部２０５に含まれる操作部材である。また、表示部２０６は、ＬＥＤで構成される。
【００２４】
以降は、デジタルカメラ１００の第１無線通信部１１０と、リモート制御装置２００の無線通信部２１０とは、予めブルートゥースで通信が可能なようにペアリング処理が実行されているものとして説明を行う。
【００２５】
次に、図３を参照して、本実施形態の自分撮り撮影処理について説明する。図３は、自分撮り撮影処理のフローチャートである。自分撮り撮影処理は自分撮り撮影モードのときの処理である。
ステップＳ３０１において、制御部１０１は、判定部１０７の結果を用い、表示部１０６の姿勢に基づいて、自分撮り状態の一例である自分撮り撮影モードであるか否かを判定する。制御部１０１は、判定部１０７が、表示部１０６の表示方向が撮影方向に向けられたことを検出し、かつ、表示部１０６が被写体のスルー画像を表示するとき、自分撮りが可能な自分撮り撮影モードと判定する。スルー画像は、ビューファインダ画像であり、被写体の画像である。制御部１０１が自分撮り撮影モードと判定したとき、処理はステップＳ３０２に進む。制御部１０１が自分撮り撮影モードではないと判定したとき、再度ステップＳ３０１の処理が行われる。ステップＳ３０１は判定手段による処理の一例である。
【００２６】
ステップＳ３０２において、制御部１０１は、デジタルカメラ１００がリモート制御通信モードに設定されているか否かを判定する。制御部１０１が、デジタルカメラ１００がリモート制御通信モードに設定されていると判定したとき、処理はステップＳ３０４に進み、制御部１０１が、リモート制御通信モードに設定されてないと判定したとき、処理はステップＳ３０３に進む。なお、リモート制御通信モードが設定された状態はリモート制御状態の一例であり、リモート制御通信モードが設定されていない状態はリモート非制御状態の一例である。
【００２７】
ステップＳ３０２において、デジタルカメラ１００がすでにリモート制御通信モードに設定されているときの例として、ユーザが通信モード設定ボタン１０５ｂを操作して、リモート制御通信モードを有効にする設定している場合が挙げられる。
ステップＳ３０３において、制御部１０１は、リモート制御通信モードを有効にする。制御部１０１は、リモート制御通信モードを有効にすると、デジタルカメラ１００をリモート制御装置２００と通信接続するように制御を行う。制御部１０１は、リモート制御装置２００と通信接続すると、リモート制御コマンドが受信可能な状態に設定する。このとき、表示部１０６にリモート制御通信モードに設定された旨の表示を行ってもよい。
【００２８】
ステップＳ３０４において、制御部１０１は、撮影指示があったか否かを判定する。撮影指示は、例えば、リモート制御装置２００から送信されるレリーズ命令コマンドである。制御部１０１は、レリーズ命令コマンドを第１無線通信部１１０が受信したときに、撮影指示があったと判定する。レリーズ命令コマンドは、ユーザがリモート制御装置２００のレリーズ命令スイッチ２０５ａを押下したときに、リモート制御装置２００の無線通信部２１０からデジタルカメラ１００の第１無線通信部１１０に送信される。制御部１０１が、撮影指示があったと判定したとき、処理はステップＳ３０５に進む。制御部１０１が、撮影指示がなかったと判定したとき、処理はステップＳ３０６に進む。
なお、撮影指示は、リモート制御装置からのレリーズ命令コマンドのみならず、デジタルカメラ１００のレリーズスイッチ１０５ａの押下であってもよい。ただし、自分撮り撮影モードのときは、リーズスイッチ１０５ａの押下による撮影指示を無効とするように制御してもよい。
【００２９】
ステップＳ３０５において、制御部１０１は、所定の撮影処理を行う。ステップＳ３０５の撮影処理では、制御部１０１は、撮像部１０２が出力した画像データを記録媒体１０８に記録する。ステップＳ３０５は撮影手段による処理の一例である。
ステップＳ３０６において、制御部１０１は、判定部１０７の結果を用い、表示部１０６の姿勢に基づいて、自分撮り撮影モードが継続されているか否かを判定する。制御部１０１は、判定部１０７が、表示部１０６の表示方向が撮影方向と異なる方向に向けられたことを検出したとき、又は、表示部１０６が被写体のスルー画像を表示しないとき、自分撮り撮影モードが解除されて自分撮り撮影モードが終了したと判定する。制御部１０１が、自分撮り撮影モードが終了したと判定したとき、処理はステップＳ３０７に進み、制御部１０１が、自分撮り撮影モードが終了していないと判定したとき、処理はステップＳ３０４に戻る。
【００３０】
ステップＳ３０７において、制御部１０１は、ステップＳ３０１で自分撮り撮影モードを検出したときに、すでにリモート制御通信モードが設定されていたか否かを判定する。制御部１０１が、すでにリモート制御通信モードが設定されていたと判定したとき、リモート制御通信モードを継続したまま、図３に示す自分撮り撮影処理を終了する。制御部１０１が、リモート制御通信モードが設定されていなかったと判定したとき、処理はステップＳ３０８に進む。
ステップＳ３０８において、制御部１０１は、リモート制御装置２００との通信接続を終了し、リモート制御通信モードを無効に設定して、図３に示す自分撮り撮影処理を終了する。
このように、図３に示す自分撮り撮影処理において、リモート制御通信モードが無効の場合、制御部１０１は、自分撮り撮影モードを検出したことに応じて、自動的にリモート制御通信モードを有効にしてリモート制御装置２００と通信接続をする。そして、制御部１０１は、自分撮り撮影モードの終了を検出すると、リモート制御通信モードを無効にすることで、リモート制御装置２００と接続を終了するように制御する。
【００３１】
以上説明したように、制御部１０１は、自分撮り撮影モードを検出したとき、リモート制御通信モードの設定状態にかかわらず、リモート制御通信モードを有効に設定する。よって、制御部１０１は、自動的にリモート制御装置２００による撮影が可能な状態に設定する。したがって、撮影者が自分でリモート制御通信モードを有効に設定する必要がない。このため、自分撮りを行う際の撮影者の手間を低減できる。
また、制御部１０１は、自動的にリモート制御装置２００による撮影が可能な状態に設定する。したがって、自分撮り撮影のときの操作性が向上するとともに、自分撮り撮影に不慣れな体勢でのレリーズによるブレを防止できる。
【００３２】
また、制御部１０１は、表示部１０６の向く方向が撮影方向のとき、自分撮り撮影モードであると検出する。表示部１０６を撮影方向に向けることは、自分撮り撮影に際して表示部１０６に表示される撮影者自身を確認するために通常行うことである。したがって、撮影者に不自然な操作等を要求することなく、制御部１０１は自分撮り撮影モードを検出できる。また、表示部１０６の向く方向の検出は容易であるため、自分撮り撮影モードの判定にも特段の困難がない。
【００３３】
また、制御部１０１は、自分撮り撮影モードの解除が検出されたとき、リモート制御通信モードの設定を、自分撮り撮影モードが検出されたときの状態にする。したがって、撮影者は、自分撮り撮影の終了後は、自分撮り撮影の前と同様にデジタルカメラ１００を操作等できる。
【００３４】
また、デジタルカメラ１００とリモート制御装置２００とは、無線通信で接続するため、赤外通信のような指向性がない。よって、ユーザはリモート制御装置２００をデジタルカメラ１００の方向に向けることなく、レリーズ命令コマンドを送信することが可能である。したがって、リモート撮影時にユーザがデジタルカメラ１００を操作する姿が撮影されないように、レリーズ遅延手段を設けるような制御も必要としない。
【００３５】
＜第２実施形態＞
次に、第２実施形態の撮像システムについて説明する。本実施形態の撮像システムは、デジタルカメラ１００と、リモート制御装置２００と、外部装置の一例である情報処理装置４００とを備える。なお、デジタルカメラ１００、及び、リモート制御装置２００の構成は第１実施形態と同様であるため説明を省略する。
まず、図４を参照して、情報処理装置４００について説明する。図４は、情報処理装置４００のブロック図である。なお、ここでは情報処理装置４００の一例としてスマートフォンについて述べるが、情報処理装置４００はスマートフォンに限られるものではない。情報処理装置４００は、例えば、無線機能付きのデジタルカメラ、タブレットデバイス、又は、パーソナルコンピュータ等であってもよい。
【００３６】
制御部４０１は、入力された信号や、後述のプログラムに従って情報処理装置４００の各部を制御する。なお、制御部４０１が情報処理装置４００全体を制御する代わりに、複数のハードウェアが処理を分担することで、情報処理装置４００全体を制御してもよい。
撮像部４０２は、撮像部４０２に含まれるレンズで結像された被写体光を電気信号に変換し、ノイズ低減処理等を行い、デジタルデータを画像データとして出力する。撮像した画像データはバッファメモリに蓄えられた後、制御部４０１によって所定の演算が行われ、記録媒体４０７に記録される。
【００３７】
不揮発性メモリ４０３は、電気的に消去・記録可能な不揮発性のメモリである。不揮発性メモリ４０３には、制御部４０１が実行する基本的なソフトウェアであるＯＳや、このＯＳと協働して応用的な機能を実現するアプリケーションが記録されている。また、不揮発性メモリ４０３には、デジタルカメラ１００と通信するためのアプリケーションが格納されている。
作業用メモリ４０４は、表示部４０６の画像表示用メモリや、制御部４０１の作業領域等として使用される。
操作部４０５は、情報処理装置４００に対するユーザからの指示を受け付ける。操作部４０５は、例えば、ユーザが情報処理装置４００の電源のＯＮ／ＯＦＦを指示するための電源ボタン、及び、表示部４０６に形成されるタッチパネル等の操作部材を含む。
【００３８】
表示部４０６は、画像データの表示、及び、ユーザが対話的な操作を行うための文字表示等を行う。なお、表示部４０６は必ずしも情報処理装置４００が備える必要はない。情報処理装置４００は表示部４０６と接続することができ、表示部４０６の表示を制御する表示制御機能を少なくとも有していればよい。
記録媒体４０７は、撮像部４０２から出力された画像データを記録することができる。記録媒体４０７は、情報処理装置４００に着脱可能なよう構成してもよいし、情報処理装置４００に内蔵されていてもよい。すなわち、情報処理装置４００は少なくとも記録媒体４０７にアクセスする手段を有していればよい。
【００３９】
第１無線通信部４１０、及び、第２無線通信部４１１は、外部装置と無線で接続するためのインターフェースである。情報処理装置４００は、第１無線通信部４１０、又は、第２無線通信部４１１を介して、外部装置とデータのやりとりを行うことができる。例えば、情報処理装置４００から外部装置に対する制御コマンドを、第１無線通信部４１０を介して送信することができる。
なお、第１無線通信部４１０は、外部装置と、ＩＥＥＥ８０２．１５の規格に従った、いわゆるブルートゥースで通信するためのインターフェースを含む。制御部４０１は、第１無線通信部４１０を制御することで外部装置との無線通信を実現する。制御部４０１は、第１無線通信部４１０を介して、デジタルカメラ１００と接続することができる。ブルートゥースの通信は、無線ＬＡＮ通信に比べて通信速度が遅い代わりに消費電力が少ない。なお、ブルートゥース通信は、低消費電力であるＢｌｕｅｔｏｏｔｈ（登録商標）  Ｌｏｗ  Ｅｎｅｒｇｙ（ＢＬＥ）のバージョン４．０を採用してもよい。このＢＬＥの通信は、無線ＬＡＮ通信やブルートゥースと比べて、更に通信速度が遅い。その一方で、ＢＬＥの通信は、無線ＬＡＮ通信やブルートゥースと比べてさらに消費電力が少ない。
第２無線通信部４１１は、外部装置と、ＩＥＥＥ８０２．１１の規格に従った、いわゆる無線ＬＡＮで通信するためのインターフェースを含む。制御部４０１は、第２無線通信部４１１を介して、デジタルカメラ１００と接続することができる。なお、デジタルカメラ１００とは、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。
【００４０】
第１無線通信部４１０、及び、第２無線通信部４１１のいずれを介してデジタルカメラ１００と接続するかは、情報処理装置４００で実行されるアプリケーションに応じて動的に切換えるように構成してもよい。
第１無線通信部４１０、及び、第２無線通信部４１１のそれぞれの特徴を活用して、比較的データ量が小さく簡単な制御を行うアプリケーションの場合は、第１無線通信部４１０を介してデジタルカメラ１００と接続するよう制御を行う。比較的大きなデータを扱う場合、制御部４０１は、第１無線通信部４１０から第２無線通信部４１１に切換えてデジタルカメラ１００と接続する制御を行う。比較的大きなデータを扱う場合の例として、制御部４０１が、デジタルカメラ１００の記録媒体１０８に記録されている大きな画像データを、表示部４０６で再生する場合が挙げられる。比較的大きなデータを扱う場合の他の例として、制御部４０１が、デジタルカメラ１００のビューファインダ画像を情報処理装置４００の表示部４０６に表示しながら、デジタルカメラ１００をリモート制御する場合が挙げられる。
【００４１】
公衆網通信部４１２は、公衆無線通信を行う際に用いられるインターフェースである。情報処理装置４００は、公衆網通信部４１２を介して、他の機器と音声データのやり取りをできる。この際、制御部４０１は、マイク４１３、及び、スピーカ４１４を介して音声信号の入力と出力を行うことで、情報処理装置４００のユーザは通話ができる。制御部４０１は、公衆網通信部４１２を介して、公衆網に接続できる。
【００４２】
次に、図５を参照して、デジタルカメラ１００の表示部１０６に表示される接続設定画面５００について説明する。図５は、接続設定画面５００の図である。
接続設定画面５００は、デジタルカメラ１００とリモート制御装置２００や情報処理装置４００とのペアリングの実行指示、及び、デジタルカメラ１００の第１無線通信部１１０や第２無線通信部１１１を介して接続する外部装置を選択するための画面である。ユーザは、選択カーソル５０２を、デジタルカメラ１００の操作部１０５を操作して上下させることで所望の項目を選択できる。
【００４３】
“ペアリング”メニュー５０１は、デジタルカメラ１００の通信対象とする装置とのペアリング実行を指示する操作メニューである。ユーザによる“ペアリング”メニュー５０１の操作によりペアリング処理が実行される。なお、本実施形態では、デジタルカメラ１００が通信対象とする外部装置とデジタルカメラ１００とのペアリングはあらかじめ実行されて完了しているものとする。
“接続装置”メニュー５０３は、デジタルカメラ１００と通信接続する装置を選択する操作メニューである。本実施形態では、デジタルカメラ１００と通信可能な装置としては、リモート制御装置２００と情報処理装置４００とがある。図５は、通信接続する装置として情報処理装置４００であるスマートフォンを選択している接続設定画面５００の例を示している。
【００４４】
“スマートフォン”アイコン５０５を選択することで第１無線通信部１１０を介して接続する装置として、情報処理装置４００が選択される。“リモコン”アイコン５０４を選択した場合は、リモート制御装置２００が選択される。“使わない”アイコン５０６を選択した場合は、デジタルカメラ１００は、外部装置とも通信接続を行わない。なお、“リモコン”アイコン５０４や、“スマートフォン”アイコン５０５は、各装置とペアリングが完了している場合のみ、選択が可能なようにしてもよい。
“ＯＫ”アイコン５０７は、ユーザが表示されているメニュー項目を選択するためのアイコンである。“ＲＥＴＵＲＮ”アイコン５０８は、ユーザが接続設定画面５００を終了するためのアイコンである。
【００４５】
次に、図６を参照して、本実施形態の自分撮り撮影処理について説明する。図６は、自分撮り撮影処理のフローチャートである。
図６のステップＳ３０１からＳ３０８は、図３のステップＳ３０１からＳ３０８と同様であるため説明を省略する。ただし、ステップＳ３０１において、制御部１０１が自分撮り撮影モードと判定したとき、処理はステップＳ６０１に進む。
【００４６】
ステップＳ６０１において、制御部１０１は、デジタルカメラ１００が、情報処理装置４００と通信接続した接続状態であるか否かを判定する。例えば、制御部１０１は、第１無線通信部１１０を介して情報処理装置４００と通信可能な状態であるとき、情報処理装置４００と通信接続していると判定する。制御部１０１が情報処理装置４００と通信接続していると判定したとき、制御部１０１はステップＳ３０２以降の処理を行わず、情報処理装置４００との通信接続を維持して、図６の自分撮り撮影処理を終了する。制御部１０１が情報処理装置４００と通信接続していないと判定したとき、処理はステップＳ３０２に進む。
【００４７】
なお、ステップＳ６０１において、制御部１０１が、情報処理装置４００と通信接続していると判定したとき、制御部１０１は、情報処理装置４００に対して、デジタルカメラ１００が自分撮り撮影モードである旨を送信してもよい。情報処理装置４００の制御部４０１は、デジタルカメラ１００が自分撮り撮影モードである旨を受信した後、情報処理装置４００で実行するアプリケーションを自分撮り撮影モードに対応したアプリケーションに切り替えるように制御してもよい。
デジタルカメラ１００と通信接続している情報処理装置４００は、デジタルカメラ１００に撮影の命令を送信できる。デジタルカメラ１００は、情報処理装置４００から撮影の命令を受信すると、図３のステップＳ３０５と同様の処理で撮影を行う。
【００４８】
次に、図７を参照して、撮像システムの状態について説明する。
図７（ａ）は、デジタルカメラ１００と情報処理装置４００とが、デジタルカメラ１００の第１無線通信部１１０と情報処理装置４００の第１無線通信部４１０とを介して、通信接続している状態を表す。図６のステップＳ６０１において、デジタルカメラ１００の制御部１０１は、このようにデジタルカメラ１００と情報処理装置４００とが通信接続している状態であるか否かを判定する。
図７（ｂ）は、デジタルカメラ１００とリモート制御装置２００とが、デジタルカメラ１００の第１無線通信部１１０とリモート制御装置２００の無線通信部２１０とを介して、通信接続している状態を表す。この状態は、図６のステップＳ３０３でリモート制御通信モードが有効になり、デジタルカメラ１００とリモート制御装置２００が通信接続した状態に相当する。
図７（ｂ）のデジタルカメラ１００の表示部１０６に表示されるアイコン７０１は、デジタルカメラ１００にリモート制御装置２００が通信接続していることを示すアイコンである。本実施形態では、アイコン７０１は、表示部１０６のスルー画像と重畳して表示される。
【００４９】
なお、本実施形態では、デジタルカメラ１００は第１無線通信部１１０を介して１台の外部装置と通信接続するように制御を行っている。しかし、デジタルカメラ１００は複数の外部装置と通信接続するようにしてもよい。
例えば、デジタルカメラ１００は、第２無線通信部１１１を介して、情報処理装置４００と通信接続している場合、デジタルカメラ１００の制御部１０１は次のように処理してもよい。すなわち、制御部１０１は、図６のステップＳ６０１の判定にかかわらず、図６のステップＳ３０２に進み、リモート制御装置２００と、未接続通信手段である第１無線通信部１１０を介して通信接続するようにしてもよい。未接続通信手段は、外部装置と通信接続していない無線通信部である。
【００５０】
以上説明したように、制御部１０１は、デジタルカメラ１００が情報処理装置４００と通信接続している場合は、自分撮り撮影モードを検出した場合であっても、情報処理装置４００と通信接続を維持する。したがって、情報処理装置４００でデジタルカメラ１００をリモート制御するアプリケーションが実行されている場合は、情報処理装置４００を利用してリモート撮影を実行できる。このため、リモート制御装置２００でレリーズする場合と同様に、自分撮りを行う際の撮影者の手間を低減でき、自分撮り撮影のときの操作性が向上するとともに、自分撮り撮影に不慣れな体勢でのレリーズによるブレを防止できる。
【００５１】
また、制御部１０１は、デジタルカメラ１００が情報処理装置４００と通信接続していない場合は、第１実施形態と同様に、自分撮り撮影モードを検出したとき、リモート制御通信モードの設定状態にかかわらず、リモート制御通信モードを有効に設定する。したがって、自分撮りを行う際の撮影者の手間を低減でき、自分撮り撮影のときの操作性が向上するとともに、自分撮り撮影に不慣れな体勢でのレリーズによるブレを防止できる。
【００５２】
また、デジタルカメラ１００と、リモート制御装置２００及び情報処理装置４００とは、無線通信で接続するため、赤外通信のような指向性がない。よって、ユーザはリモート制御装置２００又は情報処理装置４００をデジタルカメラ１００の方向に向けることなく、レリーズ命令コマンドを送信することが可能である。したがって、リモート撮影時にユーザがデジタルカメラ１００を操作する姿が撮影されないように、レリーズ遅延手段を設けるような制御も必要としない。
【００５３】
＜その他の実施形態＞
上記の実施形態では、表示部１０６とは異なりデジタルカメラ１００の本体部に対する姿勢を変えることができるが、表示部１０６はデジタルカメラの本体部に対して固定されていてもよい。このような、変形例となるデジタルカメラについて説明する。
変形例となるデジタルカメラの表示部１０６は、上記実施形態の表示部１０６とは異なりデジタルカメラ１００の本体部に対する姿勢を変えることができず、固定されている。また、変形例となるデジタルカメラは、インカメラを備える。インカメラは、表示部１０６の表示方向と同じ方向を向く撮像部であり、図１に示す撮像部１０２と同様の構成である。
【００５４】
撮影者となるユーザは、変形例となるデジタルカメラを使って、次のように自分撮りを行う。すなわち、ユーザは、表示部１０６にスルー画像を表示させて、インカメラで結像された被写体となる撮影者自身を表示部１０６に表示させる。そして、ユーザは、リモート制御装置２００のレリーズスイッチ１０５ａを操作して、撮影を行う。
このとき、変形例となるデジタルカメラの制御部１０１は、表示部１０６の表示方向と撮影方向とが同じであって、かつ、表示部１０６がスルー画像を表示しているときに、自分撮り撮影モードであると検出する。ここで、上記のように、変形例となるデジタルカメラでは、インカメラは、表示部１０６の表示方向と同じ方向を向く。よって、変形例となるデジタルカメラの制御部１０１は、ユーザが表示部１０６にスルー画像を表示させた段階で自分撮り撮影モードと判定し、リモート制御通信モードに設定する。
したがって、上記の実施形態と同様に、自分撮りを行う際の撮影者の手間を低減でき、自分撮り撮影のときの操作性が向上するとともに、自分撮り撮影に不慣れな体勢でのレリーズによるブレを防止できる。
更に上述の実施形態に加えて、デジタルカメラはオートパワーオフ機能を備えていてもよい。このようにした場合、例えば一定時間操作がなかった場合には、デジタルカメラはスルー画像の表示を停止したり、撮像部への通電を停止したりすることで、省電力を図ることができる。このオートパワーオフの状態は、いずれかのボタンを押下するなど、何らかの操作を行うことで解除することができる。オートパワーオフが解除された場合、再びスルー画像が表示されたり、撮像部への通電が開始されたりする。その一方で、自分撮りをしている場合には、不慣れな体勢で画角を調整しなければならず、操作しない時間が長くなる場合が多いと考えられる。このような場合にオートパワーオフによってスルー画像の表示が停止してしまうと、自分撮りの様子を確認することができなくなってしまう。また、オートパワーオフを解除してスルー画像を表示するために何らかの操作を行うと、せっかく調整していた画角がずれてしまう。そこで、オートパワーオフ機能が有効な状態で自分撮りモードを検出した場合は、スルー画像の表示を停止しないようにする。また、撮像部への通電を停止しないようにする。このようにすることで、省電力を図りつつ、ユーザの意図に沿った動作を実現することができる。
【００５５】
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５６】
１００  デジタルカメラ、１０１  制御部、１１０  第１無線通信部、１１１  第２無線通信部、２００  リモート制御装置、２０１  制御部、２１０  無線通信部、４００  情報処理装置、４０１  制御部、４１０  第１無線通信部、４１１  第２無線通信部
【図１】
0006758927.tif 000002
【図２】
0006758927.tif 000003
【図３】
0006758927.tif 000004
【図４】
0006758927.tif 000005
【図５】
0006758927.tif 000006
【図６】
0006758927.tif 000007
【図７】
0006758927.tif 000008